【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
画像信号が入力される入力手段と、
前記入力手段に入力された前記画像信号を所定時間ごとに圧縮符号化して複数の符号化画像信号を生成する符号化手段と、
前記複数の符号化画像信号を記録媒体に記録する符号化画像信号記録手段と、
連続する前記符号化画像信号を特定する記録情報を少なくとも含み、前記連続する符号化画像信号の最先の前記符号化画像信号にアクセス可能なアクセス情報を生成するアクセス情報生成手段と、
前記アクセス情報を前記記録媒体に記録するアクセス情報記録手段と、
番組情報を取得する番組情報取得手段と、
前記番組情報取得手段で取得された前記番組情報から番組が切り替わる開始時刻を取得する開始時刻取得手段とを備え、
前記アクセス情報生成手段は、前記開始時刻に記録される前記符号化画像信号にアクセス可能な開始アクセス情報を生成する開始アクセス情報生成手段を含む、画像記録装置。
【請求項２】
前記開始アクセス情報生成手段は、連続する前記符号化画像信号を第１チャプタ時間分まとめた第１チャプタに含まれる前記符号化画像信号の前記記録情報に基づいて、前記第１チャプタに対応する前記アクセス情報を生成する第１チャプタ情報生成手段と、
前記開始時刻までの到達時間が前記第１チャプタ時間の整数倍とならないことを条件に、連続する前記符号化画像信号を第２チャプタ時間分まとめた第２チャプタに含まれる前記符号化画像信号の前記記録情報に基づいて、前記第２チャプタに対応する前記アクセス情報を生成する第２チャプタ情報生成手段とを含む、請求項１に記載の画像記録装置。
【請求項３】
画像信号が入力される入力手段と、
前記入力手段に入力された前記画像信号を所定時間ごとに圧縮符号化して複数の符号化画像信号を生成する符号化手段と、
前記複数の符号化画像信号を記録媒体に記録する符号化画像信号記録手段と、
連続する前記符号化画像信号を特定する記録情報を少なくとも含み、前記連続する符号化画像信号にアクセス可能なアクセス情報を生成するアクセス情報生成手段と、
前記アクセス情報を前記記録媒体に記録するアクセス情報記録手段と、
番組情報を取得する番組情報取得手段と、
前記番組情報取得手段で取得された前記番組情報から番組が切り替わるタイミングを取得するタイミング取得手段とを備え、
前記アクセス情報生成手段は、前記タイミングに記録される前記符号化画像信号にアクセス可能な開始アクセス情報を生成する開始アクセス情報生成手段を含む、画像記録装置。
【請求項４】
前記開始アクセス情報生成手段は、連続する前記符号化画像信号を第１チャプタ時間分まとめた第１チャプタに含まれる前記符号化画像信号の前記記録情報に基づいて、前記第１チャプタに対応する前記アクセス情報を生成する第１チャプタ情報生成手段と、
前記タイミングまでの到達時間が前記第１チャプタ時間の整数倍とならないことを条件に、連続する前記符号化画像信号を第２チャプタ時間分まとめた第２チャプタに含まれる前記符号化画像信号の前記記録情報に基づいて、前記第２チャプタに対応する前記アクセス情報を生成する第２チャプタ情報生成手段とを含む、請求項３に記載の画像記録装置。
【請求項５】
前記第２チャプタ情報生成手段は、前記第２チャプタに含まれる予定の前記符号化画像信号が前記符号化手段により生成される前に、前記第２チャプタ時間を設定する第２チャプタ時間設定手段を含む、請求項２または請求項４に記載の画像記録装置。
【手続補正２】
【補正対象書類名】明細書
【補正対象項目名】０００５
【補正方法】変更
【補正の内容】
【０００５】
上述した目的を達成するためにこの発明のある局面によれば、画像記録装置は、画像信号が入力される入力手段と、入力手段に入力された画像信号を所定時間ごとに圧縮符号化して複数の符号化画像信号を生成する符号化手段と、複数の符号化画像信号を記録媒体に記録する符号化画像信号記録手段と、連続する符号化画像信号を特定する記録情報を少なくとも含み、連続する符号化画像信号の最先の符号化画像信号にアクセス可能なアクセス情報を生成するアクセス情報生成手段と、アクセス情報を記録媒体に記録するアクセス情報記録手段と、番組情報を取得する番組情報取得手段と、番組情報取得手段で取得された番組情報から番組が切り替わる開始時刻を取得する開始時刻取得手段とを備え、アクセス情報生成手段は、開始時刻に記録される符号化画像信号にアクセス可能な開始アクセス情報を生成する開始アクセス情報生成手段を含む。
この発明に従えば、画像信号を所定時間ごとに圧縮符号化して複数の符号化画像信号が生成されて記録媒体に記録される。一方で、連続する符号化画像信号の最先の符号化画像信号にアクセス可能なアクセス情報が生成されるが、番組が切り替わる開始時刻に記録される符号化画像信号にアクセス可能な開始アクセス情報が生成される。このため、同一チャンネルの画像信号を記録する際に、番組の切り替わる時刻に記録された符号化画像信号にアクセス可能な情報を記録することが可能な画像記録装置を提供することができる。
【手続補正３】
【補正対象書類名】明細書
【補正対象項目名】０００６
【補正方法】変更
【補正の内容】
【０００６】
好ましくは、開始アクセス情報生成手段は、連続する符号化画像信号を第１チャプタ時
間分まとめた第１チャプタに含まれる符号化画像信号の記録情報に基づいて、第１チャプタに対応するアクセス情報を生成する第１チャプタ情報生成手段と、開始時刻までの到達時間が第１チャプタ時間の整数倍とならないことを条件に、連続する符号化画像信号を第２チャプタ時間分まとめた第２チャプタに含まれる符号化画像信号の記録情報に基づいて、第２チャプタに対応するアクセス情報を生成する第２チャプタ情報生成手段とを含む。
この発明に従えば、開始時刻までの到達時間が第１チャプタ時間の整数倍とならないことを条件に、連続する符号化画像信号を第２チャプタ時間分まとめた第２チャプタに含まれる符号化画像信号の記録情報に基づいて、第２チャプタに対応するアクセス情報を生成し、開始時刻に第２チャプタを終了させる。こうして、開始時刻から記録される符合化画像信号にアクセス可能なアクセス情報が生成される。その結果、番組の切り替わる時刻に記録された符号化画像信号にアクセス可能な情報を容易に生成することができる。
【手続補正４】
【補正対象書類名】明細書
【補正対象項目名】０００７
【補正方法】変更
【補正の内容】
【０００７】
この発明の別の局面によれば、画像記録装置は、画像信号が入力される入力手段と、入力手段に入力された画像信号を所定時間ごとに圧縮符号化して複数の符号化画像信号を生成する符号化手段と、複数の符号化画像信号を記録媒体に記録する符号化画像信号記録手段と、連続する符号化画像信号を特定する記録情報を少なくとも含み、連続する符号化画像信号にアクセス可能なアクセス情報を生成するアクセス情報生成手段と、アクセス情報を記録媒体に記録するアクセス情報記録手段と、番組情報を取得する番組情報取得手段と、番組情報取得手段で取得された番組情報から番組が切り替わるタイミングを取得するタイミング取得手段とを備え、アクセス情報生成手段は、タイミングに記録される符号化画像信号にアクセス可能な開始アクセス情報を生成する開始アクセス情報生成手段を含む。
この発明に従えば、画像信号を所定時間ごとに圧縮符号化して複数の符号化画像信号が生成されて記録媒体に記録される。一方で、連続する符号化画像信号にアクセス可能なアクセス情報が生成されるが、番組が切り替わるタイミングに記録される符号化画像信号にアクセス可能な開始アクセス情報が生成される。このため、同一チャンネルの画像信号を記録する際に、番組の切り替わるタイミングに記録された符号化画像信号にアクセス可能な情報を記録することが可能な画像記録装置を提供することができる。
【手続補正５】
【補正対象書類名】明細書
【補正対象項目名】０００８
【補正方法】変更
【補正の内容】
【０００８】
好ましくは、開始アクセス情報生成手段は、連続する符号化画像信号を第１チャプタ時間分まとめた第１チャプタに含まれる符号化画像信号の記録情報に基づいて、第１チャプタに対応するアクセス情報を生成する第１チャプタ情報生成手段と、タイミングまでの到達時間が第１チャプタ時間の整数倍とならないことを条件に、連続する符号化画像信号を第２チャプタ時間分まとめた第２チャプタに含まれる符号化画像信号の記録情報に基づいて、第２チャプタに対応するアクセス情報を生成する第２チャプタ情報生成手段とを含む。
この発明に従えば、タイミングまでの到達時間が第１チャプタ時間の整数倍とならないことを条件に、連続する符号化画像信号を第２チャプタ時間分まとめた第２チャプタに含まれる符号化画像信号の記録情報に基づいて、第２チャプタに対応するアクセス情報を生
成するので、番組の切り替わるタイミングに記録された符号化画像信号にアクセス可能な情報を容易に生成することができる。
【手続補正６】
【補正対象書類名】明細書
【補正対象項目名】００４８
【補正方法】変更
【補正の内容】
【００４８】
図９（Ａ）は、デフォルトのセル再生時間およびチャプタ時間を用いて記録した場合におけるセルとチャプタとの関係の一例を示す図である。図９（Ａ）を参照して、ＶＯＢにはＶＯＢを識別するためのＶＯＢＩＤが付される。ＶＯＢＩＤは、「１」から始まる連番とされている。各ＶＯＢに含まれるセルにはセルＩＤが付される。ここでは、１つのＶＯＢに１つのセルを含むことにしたので、セルＩＤはすべて「１」とされる。また、セルにはセル番号が付される。セル番号は、セルの順番を定めるもので「１」から始まる連番とされる。２１時５９分１３秒に録画の開始が指示されると、チャプタ時間を２分としているので、初めのチャプタは、２１時５９分１３秒から２２時０１分１３秒までを記録するセルを含む。したがって、再生時に次の番組の開始時刻２２時００分００秒の動画を頭出しすることができない。
【手続補正７】
【補正対象書類名】明細書
【補正対象項目名】００９８
【補正方法】変更
【補正の内容】
【００９８】
この記録処理では、ステップＳ０７で取得された現在時刻Ｔを記録の開始時刻Ｔとし、記録の開始時刻Ｔから次の番組の開始時刻Ｔ１までの時間（Ｔ１−Ｔ）が、初期設定されたチャプタ時間Ｔ２（第１チャプタ時間）よりも短い場合（ステップＳ１０でＹＥＳ）に、次に生成するチャプタ（第２チャプタ）のチャプタ時間（第２チャプタ時間）を（Ｔ１−Ｔ）としている（ステップＳ１１）。また、ステップＳ２８で取得された現在時刻Ｔを次のチャプタの開始時刻とし、次のチャプタの開始時刻Ｔから次の番組の開始時刻Ｔ１までの時間（Ｔ１ーＴ）が、初期設定されたチャプタ時間（第１チャプタ時間）よりも短い場合（ステップＳ３１でＹＥＳ）に、次に生成するチャプタ（第２チャプタ）のチャプタ時間（第２チャプタ時間）を（Ｔ１−Ｔ）としている（ステップＳ３２）。一方、次のチャプタの開始時刻Ｔから次の番組の開始時刻Ｔ１までの時間が、初期設定されたチャプタ時間（第１チャプタ時間）よりも短くない場合（ステップＳ３１でＮＯ）に、次に生成するチャプタ（第１チャプタ）のチャプタ時間（第１チャプタ時間）を初期設定されたチャプタ時間Ｔ２としている（ステップＳ３５）。すなわち、記録の開始指示があって記録が開始される時刻ＴＳから次の番組の開始時刻Ｔ１までの到達時間（Ｔ１−ＴＳ）、または、番組の開始時刻ＴＳから次の番組の開始時刻Ｔ１までの到達時間（Ｔ１−ＴＳ）中に、初期設定されたチャプタ時間Ｔ２のチャプタが最初から順に生成され、到達時間中に記録している番組の最後のチャプタのチャプタ期間が前のチャプタの終了した時刻ＴＥから次の番組の開始時刻Ｔ１までの時間（Ｔ１−ＴＥ）とされる。なお、最後のチャプタのチャプタ期間は（Ｔ１−ＴＥ）がＴ２と等しくなる場合にはＴ２とされる。換言すれば、到達時間（Ｔ１−ＴＳ）が初期設定されたチャプタ時間Ｔ２（第１チャプタ時間）の整数倍でない場合に、初期設定されたチャプタ時間とは異なるチャプタ時間（第２チャプタ時間）が設定される。
【手続補正８】
【補正対象書類名】明細書
【補正対象項目名】０１１６
【補正方法】変更
【補正の内容】
【０１１６】
（１）  上述した画像記録装置は、
画像信号が入力される入力手段と、
前記入力手段に入力された前記画像信号を所定時間ごとに圧縮符号化して複数の符号化画像信号を生成する符号化手段と、
前記複数の符号化画像信号を記録媒体に記録する符号化画像信号記録手段と、
連続する前記符号化画像信号を特定する記録情報を少なくとも含み、前記連続する符号化画像信号の最先の前記符号化画像信号にアクセス可能なアクセス情報を生成するアクセス情報生成手段と、
前記アクセス情報を前記記録媒体に記録するアクセス情報記録手段と、
番組情報を取得する番組情報取得手段と、
前記番組情報取得手段で取得された前記番組情報から番組が切り替わる開始時刻を取得する開始時刻取得手段とを備え、
前記アクセス情報生成手段は、前記開始時刻に記録される前記符号化画像信号にアクセス可能な開始アクセス情報を生成する開始アクセス情報生成手段を含み、
前記開始アクセス情報生成手段は、連続する前記符号化画像信号を第１チャプタ時間分まとめた第１チャプタに含まれる前記符号化画像信号の前記記録情報に基づいて、前記第１チャプタに対応する前記アクセス情報を生成する第１チャプタ情報生成手段と、
前記開始時刻までの到達時間が前記第１チャプタ時間の整数倍とならないことを条件に、連続する前記符号化画像信号を第２チャプタ時間分まとめた第２チャプタに含まれる前記符号化画像信号の前記記録情報に基づいて、前記第２チャプタに対応する前記アクセス情報を生成する第２チャプタ情報生成手段とを含み、
前記第２チャプタ情報生成手段は、前記第２チャプタに含まれる予定の前記符号化画像信号が前記符号化手段により生成される前に、前記第２チャプタ時間を設定する第２チャプタ時間設定手段を含む。
（２）  また、上述した画像記録装置は、
画像信号が入力される入力手段と、
前記入力手段に入力された前記画像信号を所定時間ごとに圧縮符号化して複数の符号化画像信号を生成する符号化手段と、
前記複数の符号化画像信号を記録媒体に記録する符号化画像信号記録手段と、
連続する前記符号化画像信号を特定する記録情報を少なくとも含み、前記連続する符号化画像信号にアクセス可能なアクセス情報を生成するアクセス情報生成手段と、
前記アクセス情報を前記記録媒体に記録するアクセス情報記録手段と、
番組情報を取得する番組情報取得手段と、
前記番組情報取得手段で取得された前記番組情報から番組が切り替わるタイミングを取得するタイミング取得手段とを備え、
前記アクセス情報生成手段は、前記タイミングに記録される前記符号化画像信号にアクセス可能な開始アクセス情報を生成する開始アクセス情報生成手段を含み、
前記開始アクセス情報生成手段は、連続する前記符号化画像信号を第１チャプタ時間分まとめた第１チャプタに含まれる前記符号化画像信号の前記記録情報に基づいて、前記第１チャプタに対応する前記アクセス情報を生成する第１チャプタ情報生成手段と、
前記タイミングまでの到達時間が前記第１チャプタ時間の整数倍とならないことを条件に、連続する前記符号化画像信号を第２チャプタ時間分まとめた第２チャプタに含まれる前記符号化画像信号の前記記録情報に基づいて、前記第２チャプタに対応する前記アクセス情報を生成する第２チャプタ情報生成手段とを含み、
前記第２チャプタ情報生成手段は、前記第２チャプタに含まれる予定の前記符号化画像
信号が前記符号化手段により生成される前に、前記第２チャプタ時間を設定する第２チャプタ時間設定手段を含む。